(57)【要約】【課題】第１に、コスト負担が軽減され、第２に、しかもこれが、簡単容易に実現され、第３に、剃刃の撓みや捩れも抑制される、安全カミソリを提案する。【解決手段】この安全カミソリ１は、複数枚の剃刃２と、各剃刃２を刃先３が外部露出するように固定保持するフレーム４と、フレーム４を反転可能に保持するホルダー５と、を有している。そして各剃刃２は、刃先３が両刃にて形成されている。すなわち各剃刃２は、上下の両刃の刃先３が、それぞれフレーム４から傾斜して外部露出している。フレーム４は枠状をなし、左右部６間で、各剃刃２を挟持すると共に、内部スペースに、各剃刃２を等間隔で平行に傾斜させて固定的に内蔵している。そこで剃刃２が、両刃の刃先により、２度にわたり使用可能となっている。又、フレーム４の前後部１１と剃刃２間には、サポート部材１４が介装され、剃刃２相互間には、スペーサ部材１５が介装されている。【選択図】図１
2010158264.tif 000002
【特許請求の範囲】
【請求項１】
複数枚の剃刃と、各該剃刃を刃先が外部露出するように固定保持するフレームと、該フレームを反転可能に取付保持するホルダーと、を有しており、
各該剃刃は、刃先が両刃にて形成されていること、を特徴とする安全カミソリ。
【請求項２】
請求項１に記載した安全カミソリにおいて、長方形の各該剃刃は、上下の両刃の刃先が、それぞれ該フレームから傾斜して外部露出しており、
該フレームは枠状をなしており、その左右部間で、各該剃刃を挟持すると共に、内部スペースに、各該剃刃を間隔を置き平行に傾斜させて内蔵し、
該ホルダーは、その基端部が、柄として把持可能であると共に、先端部で、各該剃刃と該フレームからなるヘッドを、１８０度反転可能、そして位置決め保持可能、更には交換可能となっており、
該剃刃が、両刃の刃先により、２度にわたり使用可能となっていること、を特徴とする安全カミソリ。
【請求項３】
請求項２に記載した安全カミソリにおいて、該フレームの前後部と該剃刃間には、サポート部材が介装されると共に、該剃刃相互間には、スペーサ部材が介装されており、
該サポート部材やスペーサ部材は、該剃刃の撓みや捩れを抑制して、該剃刃間の等間隔平行関係を維持せしめること、を特徴とする安全カミソリ。
【請求項４】
請求項３に記載した安全カミソリにおいて、該サポート部材やスペーサ部材は、略小突起状をなしており、左右方向に、それぞれ複数個ずつ間隔を置き介装取付されると共に、前後方向に、直線的位置関係で列設されていること、を特徴とする安全カミソリ。
【発明の詳細な説明】
【技術分野】
【０００１】
本発明は、安全カミソリに関する。すなわち、ひげ剃りに使用される道具である、安全カミソリに関するものである。
【背景技術】
【０００２】
このような安全カミソリとしては、剃刃と、フレーム又はプレート台と、ホルダーと、からなるものが広く知られている。
すなわち、複数枚の剃刃と、各剃刃の刃先が外部露出するように固定保持するフレーム、又は挟着保持するプレート台と、このような剃刃およびプレート台又はフレームから構成されるヘッドを、取付保持するホルダーと、からなるものが知られている。
そして従来、この種の安全カミソリの各剃刃は、刃先が片刃よりなっていた。もって、このような各剃刃の片刃の刃先が、これを保持するフレーム又はプレート台から外部露出しており、ひげ剃りに供されていた。つまり、長方形の剃刃の一方の長辺のみに刃先が形成されて、ひげ剃りに供されていた。
【発明の開示】
【発明が解決しようとする課題】
【０００３】
ところで、この種従来例の安全カミソリについては、次の問題が指摘されていた。従来例の安全カミソリは、いわゆる替刃式よりなっており、剃刃の剃り味が落ちると、ヘッドごと新しいものと交換されていた。
すなわち、片刃よりなる各剃刃の刃先の切れ味が落ちると、剃刃がこれを保持するフレーム又はプレート台と共に、ヘッドごとホルダーから外されて、破棄処分されていた。そして替りに、新しいヘッド、つまり新しい各剃刃付のフレームやプレート台が、交換品として、ホルダーに取付保持されていた。
そこで、これらに鑑みコストが嵩む、という問題が指摘されていた。つまり、定期的にヘッド、つまり各剃刃付のフレームやプレート台を、交換用に新規購入しなければならず、コスト負担が大きい、という指摘があった。
【０００４】
本発明の安全カミソリは、このような実情に鑑み、上記従来例の課題を解決すべくなされたものである。
そして本発明は、第１に、コスト負担が軽減され、第２に、しかもこれが、簡単容易に実現され、第３に、各剃刃の撓みや捩れも抑制される、安全カミソリを提案することを、目的とする。
【課題を解決するための手段】
【０００５】
このような課題を解決する本発明の技術的手段は、次のとおりである。まず、請求項１については次のとおり。
請求項１の安全カミソリは、複数枚の剃刃と、各該剃刃を刃先が外部露出するように固定保持するフレームと、該フレームを反転可能に取付保持するホルダーと、を有している。そして各該剃刃は、刃先が両刃にて形成されていること、を特徴とする。
請求項２については、次のとおり。請求項２の安全カミソリでは、請求項１において、長方形の各該剃刃は、上下の両刃の刃先が、それぞれ該フレームから傾斜して外部露出している。
該フレームは枠状をなしており、その左右部間で、各該剃刃を挟持すると共に、内部スペースに、各該剃刃を間隔を置き平行に傾斜させて内蔵している。
該ホルダーは、その基端部が、柄として把持可能であると共に、先端部で、各該剃刃と該フレームからなるヘッドを、１８０度反転可能、そして位置決め保持可能、更には交換可能となっている。
もって該剃刃が、両刃の刃先により、２度にわたり使用可能となっていること、を特徴とする。
【０００６】
請求項３については、次のとおり。請求項３の安全カミソリでは、請求項２において、該フレームの前後部と該剃刃間には、サポート部材が介装されると共に、該剃刃相互間には、スペーサ部材が介装されている。
そして、該サポート部材やスペーサ部材は、該剃刃の撓みや捩れを抑制して、該剃刃間の等間隔平行関係を維持せしめること、を特徴とする。
請求項４については、次のとおり。請求項４の安全カミソリでは、請求項３において、該サポート部材やスペーサ部材は、略小突起状をなしており、左右方向に、それぞれ複数個ずつ間隔を置き介装取付されると共に、前後方向に、直線的位置関係で列設されていること、を特徴とする。
【発明の効果】
【０００７】
《第１の効果》
第１に、コスト負担が軽減される。すなわち、本発明の安全カミソリでは、刃先が両刃式となった各剃刃を、初めて採用してなる。
そして、まず一方側の各剃刃の刃先が、表面側に位置して使用に供されるが、その一方側の各刃先の剃り味・切れ味が使用に伴い落ちると、裏面側に位置していた他方側の各剃刃の刃先が、これに代わって使用に供される。
つまり、ホルダー先端部に取付保持されていたヘッド、つまり複数枚の剃刃付のフレームが、ホルダー先端部に対し１８０度反転されて、位置決め保持される。それまで裏面側に位置していた他方側の各刃先が、表面側に位置して使用に供されるようになり、表面側に位置していた一方側の各刃先が、裏面側に退くことになる。
このように、本発明の安全カミソリでは、各剃刃が両刃式よりなるので、１枚で２度にわたり使用可能である。各剃刃について、各々、一方側の刃先と他方側の刃先とを、２度にわたり使用可能となっている。
そこで、前述したこの種従来例の安全カミソリのように、片刃の刃先の剃り味が落ちると、ヘッドごと交換，破棄していたのに比し、コスト負担が半減される、という効果を発揮する。
【０００８】
《第２の効果》
第２に、しかもこれは、簡単容易に実現される。すなわち、本発明の安全カミソリは、両刃式の刃先よりなる各剃刃を採用すると共に、このような各剃刃とフレームとから構成されるヘッドごと、ホルダーに対し反転可能に取付保持してなる。
このように、本発明の安全カミソリは、簡単な構成により、前述した第１のコスト軽減の効果が、容易に実現される、という効果を発揮する。
【０００９】
《第３の効果》
第３に、各剃刃の撓みや捩れも抑制される。すなわち、本発明の安全カミソリでは、フレームと剃刃間にサポート部材を介装すると共に、剃刃相互間にスペーサ部材を介装してなる。そして、複数個ずつ介装されたサポート部材やスペーサ部材を、前後に直線的に列設してなる。
そこで、フレームの左右部間で左右を挟持されているに過ぎない各剃刃が、このようなスペーサ部材やサポート部材にて、不動に維持されるようになる。もって使用に際し、剃刃間の間隔を置いた平行関係が維持され、各剃刃が撓んだり捩れたりすることが、確実に抑制されるようになる。
このように、本発明の安全カミソリは、撓みや捩れなく支障なく使用可能である、という効果を発揮する。
このように、この種従来例に存した課題がすべて解決される等、本発明の発揮する効果は、顕著にして大なるものがある。
【発明を実施するための最良の形態】
【００１０】
《図面について》
以下、本発明の安全カミソリを、図面に示した発明を実施するための最良の形態に基づいて、詳細に説明する。
図１〜図３は、本発明を実施するための最良の形態の説明に供する。そして図１は、全体の斜視図、図２は、要部の平面図、図３は、要部の分解斜視図である。
【００１１】
《本発明の概要について》
まず、本発明の概要について、説明する。
本発明の安全カミソリ１は、複数枚の剃刃２と、各剃刃２を刃先３が外部露出するように固定保持するフレーム４と、フレーム４を反転可能に取付保持するホルダー５と、を有している。
そして各剃刃２は、刃先３が両刃にて形成されている。すなわち、長方形の各剃刃２は、上下の両刃の刃先３が、それぞれフレーム４から傾斜して外部露出している。もって剃刃２が、両刃の刃先３により、２度にわたり使用可能となっている。
フレーム４は、枠状をなしている。そして、その左右部６間で、各剃刃２を挟持すると共に、内部スペースに、各剃刃２を間隔を置き平行に傾斜させて内蔵している。
ホルダー５は、その基端部７が、柄として把持可能である。これと共に、先端部８で、各剃刃２とフレーム４からなるヘッド９を、１８０度反転可能、そして位置決め保持可能、更には交換可能となっている。
本発明は、概略このようになっている。
【００１２】
《本発明の詳細について》
このような本発明の詳細について、説明する。
まず剃刃２は、長方形よりなり、上下の両長辺側が、それぞれ刃先３となっている。その左右の両短辺が、フレーム４にて固定保持されている。
そして剃刃２は、２枚〜５枚程度の複数枚、代表的は図示したように３枚用いられる。各剃刃２は、フレーム４の内部スペースに固定保持された状態において、前後に等間隔をおき平行であると共に、例えば仮想された上下の垂平面に対し、４５度程度傾斜せしめられている。
そして、内蔵されたフレーム４から外部露出した上下の各刃先３は、上下の一方側Ａおよび他方側Ｂの両刃先３共に、それぞれ仮想された同一面に臨んで、位置している。上下の該面どおしは、平行関係となっている。
そして、上下の一方側Ａおよび他方側Ｂの刃先３は、それぞれ該面に対し傾斜しており、例えば４５度程度の所定角度をもっている。
【００１３】
フレーム４は、合成樹脂製よりなり、長方形の枠体状をなしており、複数枚の剃刃２を傾斜して内蔵するに足る、内部スペースを備えている。
そしてフレーム４は、その短辺側の左右部６内面について、左右対向して傾斜形成された複数本の係止溝１０を、それぞれ備えている（図３を参照）。この各係止溝１０に、それぞれ、各剃刃２の左右側端部が嵌入され、もって各剃刃２が、フレーム４の左右部６間に挟持されて、固定保持されている。
フレーム４の前後の長辺側の両前後部１１内面は、それぞれ、各剃刃２と平行関係に設定されている。又、フレーム４の左右部６や前後部１１の上面や下面、つまり表面や裏面は、前記した両刃先３の臨む面と略共通面をなしている。
フレーム４の短辺側の左右部６外面には、図示例では、それぞれ２個の係止穴１２が形成されており、ホルダー５の先端部８左右の２個の係止部材１３が、それぞれ嵌入，係止されている。もって、ホルダー５にフレーム４が、反転可能に取付保持されている。
【００１４】
ところで、各剃刃２とフレーム４とで、安全カミソリ１のヘッド９が構成されている。各剃刃２とフレーム４の集合体が、組付けヘッド９と称されている。
そして、このヘッド９は、フレーム４の左右部６間の仮想された中心線、つまり上下，前後の中心を結ぶ左右軸線を回転軸とした、回転対称をなしている。図１中に示したように、時計方向又は反時計方向の回転方向Ｃに回転させた場合、ヘッド９の各剃刃２とフレーム４とは、上下等で回転対称となる。
従って、このヘッド９は、ホルダー５に対し、１８０度反転させて取付保持せしめることにより、上下両面が、共に同じ状態で使用可能となっている。ヘッド９の各剃刃２とフレーム４は、その表裏が、反転により同じ状態で使用可能となっている。
【００１５】
ホルダー５は、図示例では前述したように、先端部８の左右の係止部材１３を、フレーム４の左右部６の係止穴１２に嵌入，係止することにより、フレーム４と各剃刃２とから構成されるヘッド９を、取付保持する。
又、この嵌入，係止を解くことにより、ヘッド９を着脱可能となっている。そこで図示例では、ヘッド９を一旦取り外して、再度取付保持する操作により、ヘッド９を１８０度反転させて位置決めすることが可能となっている。更に、いわゆる替刃式として使用する場合は、ホルダー５を残して、新たなヘッド９と交換することも、これに準じて実施される。
ところで図示例では、係止穴１２と係止部材１３にて、ホルダー５の先端部８に対しヘッド９が取付保持されているが、これによらず、その他各種のヘッド９取付保持方式も、採用可能である。例えば、回転軸，取付部，ストッパー等を用いることにより、図示例のようにヘッド９をホルダー５から一旦取り外すことなく、そのまま１８０度反転位置決めせしめることが可能な取付保持方式も、採用可能である。
【００１６】
さて、このように本発明の安全カミソリ１は、刃先３が両刃式の剃刃２を採用してなり、一方側Ａの刃先３の剃り味が落ちると、フレーム４ごとヘッド９をホルダー５に対し反転させることにより、他方側Ｂの刃先３を使用可能となっている。
つまり、それまで表面側において使用に供されていた一方側Ａの刃先３を裏面側とし、それまで裏面側だった他方側Ｂの刃先３を、表面側として使用に供することが可能となっている。
なお図中Ｄは、左右方向、Ｅは前後方向、Ｆは上下方向を示す。
本発明の詳細については、以上のとおり。
【００１７】
《サポート部材１４やスペーサ部材１５の概要について》
次に、サポート部材１４やスペーサ部材１５の概要について、説明する。
本発明の安全カミソリ１において、フレーム４の前後部と剃刃２間には、サポート部材１４が介装されると共に、剃刃２相互間には、スペーサ部材１５が介装されている。このサポート部材１４やスペーサ部材１５は、各剃刃２の撓みや捩れを抑制して、剃刃２間の等間隔平行関係を維持せしめる。
すなわち、このサポート部材１４やスペーサ部材１５は、略小突起状をなしており、左右方向Ｄに、それぞれ複数個ずつ間隔を置き介装取付されると共に、前後方向Ｅに、直線的位置関係で列設されている。
サポート部材１４やスペーサ部材１５は、概略このようになっている。
【００１８】
《サポート部材１４やスペーサ部材１５の詳細について》
このようなサポート部材１４やスペーサ部材１５の詳細について、説明する。
まず、本発明で用いられる各剃刃２は、前述したように反転使用を可能とすべく、フレーム４の左右部６間で左右を挟持されている。この安全カミソリ１では、各剃刃２の上下挟持や前後挟持ではなく、左右挟持が前提となっている。
そこで、そのままでは使用に際し、ひげ剃り動作中に、ひげや皮膚にて前後方向Ｅに押圧力を受けると、前後方向Ｅに撓んだり捩れたりすることが、懸念される。
そこで、サポート部材１４やスペーサ部材１５を、前後方向Ｅに介装して、各剃刃２を前後方向Ｅで挟持，保持することにより、各剃刃２の前後方向Ｅの剛性・強度を、補強するようになっている。
もって剃刃２は、前後方向Ｅに撓みや捩れなく、不動に保持されるようになる。
【００１９】
まず、サポート部材１４は、図示例では、フレーム４の前後部１１の内面について、それぞれ、左右方向Ｄに等間隔を置きつつ、図示例では５個付設，固定，植設されている。サポート部材１４としては、樹脂製のものが代表的であり、フレーム４の前後部１１と一体成形されるか、又は、基端がフレーム４の前後部に対し接着等により接合されている。
サポート部材１４の形状は、図示例では六角柱状をなしているが、円柱状，四角柱状，その他の小柱状をなすことも考えられる。サポート部材１４の先端は、それぞれ、対向位置する剃刃２の腹つまり側面に対し、当接されている。
【００２０】
スペーサ部材１５は、剃刃２間に位置する剃刃２について（図示例では、前後の剃刃２間に位置する１枚の剃刃２について）、その前後両側面に、左右方向Ｄに等間隔を置きつつ、図示例ではそれぞれ５個ずつ、付設，固定，植設されている。
スペーサ部材１５としては、樹脂製のものが代表的であるが、金属製のものも考えられ、金属製の場合は、付設対象となる剃刃２の両側面に、溶接等により接合される。
樹脂製のスペーサ部材１５については、図示したように、付設対象の剃刃２について、等間隔で孔１６を穿設し（図３を参照）、この孔１６を介し、前後方向Ｅに対応位置する両スペーサ部材１５どうしを、その対向面に設けた勘合用の凹凸を利用して、嵌着，係止することが考えられる。これにより、前後のスペーサ部材１５が、その基端側で剃刃２の前後側面に対し、付設，固定される。
このスペーサ部材１５の形状については、前述したサポート部材１４に準じると共に、サポート部材１４と同一形状のものが採用される。
そして、スペーサ部材１５の先端は、それぞれ対向位置する剃刃２の腹つまり側面に対し、当接される。
【００２１】
このように、図示例の安全カミソリ１では、前後方向Ｅに３枚の剃刃２の内、中央の１枚の剃刃２について、その前後側面にスペーサ部材１５が、それぞれ５個ずつ付設されている。これと共に、フレーム４の前後部１１について、その前後内面にサポート部材１４が、それぞれ５個ずつ付設されている。
そして、各サポート部材１４とスペーサ部材１５とは、前後方向Ｅの位置関係で観察すると、前後方向Ｅに直線状に並んで整列せしめられている。図示例では、左右方向Ｄに各５個ずつ配されたサポート部材１４とスペーサ部材１５とが、前後方向Ｅに観察すると、それぞれ５個ずつ直線的に並んだ位置関係となっている。
本発明の安全カミソリ１では、このようにサポート部材１４やスペーサ部材１５が、フレーム４と剃刃２間や剃刃２相互間に介装されているので、各剃刃２の使用に際し、その撓みや捩れが防止される。
サポート部材１４やスペーサ部材１５の詳細については、以上のとおり。
【図面の簡単な説明】
【００２２】
【図１】本発明に係る安全カミソリについて、発明を実施するための最良の形態の説明に供し、全体の斜視図である。
【図２】同発明を実施するための最良の形態の説明に供し、要部の平面図である。
【図３】同発明を実施するための最良の形態の説明に供し、要部の分解斜視図である。
【符号の説明】
【００２３】
１  安全カミソリ
２  剃刃
３  刃先
４  フレーム
５  ホルダー
６  左右部
７  基端部
８  先端部
９  ヘッド
１０  係止溝
１１  前後部
１２  係止穴
１３  係止部材
１４  サポート部材
１５  スペーサ部材
１６  孔
Ａ  一方側
Ｂ  他方側
Ｃ  回転方向
Ｄ  左右方向
Ｅ  前後方向
Ｆ  上下方向
【図１】
2010158264.tif 000003
【図２】
2010158264.tif 000004
【図３】
2010158264.tif 000005